(57)【要約】      （修正有）【課題】簡単な構造でかつ操作が容易であるキャビネット等の引出しのロック構造。【解決手段】キャビネット１の内周面にＬ型状のアングル材４を取付け、引出し５の前板６に取付脚部７ａを介して取手７を取付け、かつこの取付脚部７ａ内に下方が開放された空間８を設け、この空間８内に解除レバー９を支軸１８を介して回動自在に収納する。前板６の内面に２個のカム１５ａ、１５ｂを収納した引き寄せユニット１１を設けると共に、これ等のカム１５ａ、１５ｂに摺動バー１２を固定し、かつこの摺動バー１２の先端にアングル材４に係合し得るフック１４を取付ける。さらに、解除レバー９の一部に突設した突起部９ａをカム１５ａ、１５ｂの上面に当接し、解除レバー９の操作でカム１５ａ、１５ｂを押し下げ、摺動バー１２を介してフック１４を作動させてフック１４とアングル材４との係合をしたり、或は解除するようにした引出しのロック構造。【選択図】図３
2006180985.tif 000002
【特許請求の範囲】
【請求項１】
キャビネットとこのキャビネットに出し入れして収納し得る引出しとよりなる収納ボックスに於て、該キャビネットの内周面に第１係合手段を設け、該引出しの前板の外面に取手を取付けると共に該取手の取付脚部内に解除レバーを回動自在に組込み、前記前板の内面に解除レバーの作動によって摺動し得る摺動バーを配置し、前記摺動バーの先端に前記第１係合手段に係合し得る第２係合手段を取付けて構成したことを特徴とした引出しのロック構造。
【請求項２】
前記引出しの前板内面に取付けられた引寄せユニット内のカムに前記摺動バーの元部が固定されており、かつ前記解除レバーに設けられた突起部が前記カムに当接されており、該解除レバーの作動によってカムを回動させて前記摺動バーを摺動させるように構成したことを特徴とした請求項１の引出しのロック構造。
【請求項３】
前記解除レバーの一部に接触或は離してロック或は解除し得るロックツマミを前記取手の取付脚部の一部に摺動自在に設けて構成したことを特徴とした請求項１或は請求項２の引出しのロック構造。
【発明の詳細な説明】
【技術分野】
【０００１】
本発明は収納ボックスのキャビネットに出し入れすることが出来る引出しのロック構造に係り、特に幼児や子供等が引出しを簡単に引出すことが出来ないようにした引出しのロック構造に関するものである。
【背景技術】
【０００２】
従来、収納ボックスの引出しにロック機構が設けられていない場合は、幼児や子供等が簡単に引出しを開閉して収納ボックスに収納されている食品、油類、薬品類、石けん類或は刃物等を取り出して食したり、或はけがをする等の問題があった。
【０００３】
これ等の問題を解決するために、従来も例えば、特開平７−７９８２７号公報（特許文献１）に示すような技術も開発されている。この特許文献１に記載された技術は、ボックス状の収納部の内面に係合孔を有する係合板を取付け、一方引出しの前板の内面側部に前記係合板の係合孔に嵌入係止し得る係合片を設け、かつ該引出しの前板の外面に取付けられた取手の枢支軸を時計回り或は反時計回りに回動する操作装置を設け、この枢支軸の回動によって前記係合片を突出したり或は引込ませたりして、該係合片を係合板の係合孔に出し入れすることによって、引出しのロック機構を開閉する技術である。
【０００４】
【特許文献１】特開平７−７９８２７号公報
【発明の開示】
【発明が解決しようとする課題】
【０００５】
前述の特許文献１に記載された技術は、確かに取手の枢支軸を回動することによって、係合片を係合板の係合孔に出し入れして引出しのロック機構の開閉をすることが出来るが、この装置は構成部品の点数が極めて多く、これ等を組立てることが複雑であり、また、操作も容易でない等の問題があった。
【０００６】
本発明に係る引出しのロック構造は、前述の従来の問題点に鑑み開発された全く新しい技術であって、特にキャビネットの内周面に第１係合手段を設け、かつ引出しの前板に設けられた取手の取付脚部の一部に解除レバーを回動自在に配置し、この解除レバーを作動させることによって、該解除レバーを作動させることによって、該解除レバーに係合された摺動バーを摺動させ、その先端に設けられた第２係合手段を前記第１係合手段に係合或は係合を解除するようにした引出しのロック構造の技術を提供するものである。
【課題を解決するための手段】
【０００７】
本発明に係る引出しのロック構造は、前述の問題点を根本的に改善した発明であって、その第１発明の要旨は、キャビネットとこのキャビネットに出し入れして収納し得る引出しとよりなる収納ボックスに於て、該キャビネットの内周面に第１係合手段を設け、該引出しの前板の外面に取手を取付けると共に該取手の取付脚部内に解除レバーを回動自在に組込み、前記前板の内面に解除レバーの作動によって摺動し得る摺動バーを配置し、前記摺動バーの先端に前記第１係合手段に係合し得る第２係合手段を取付けて構成したことを特徴とした引出しのロック構造である。
【０００８】
本発明に係る引出しのロック構造の第２発明の要旨は、前記引出しの前板内面に取付けられた引寄せユニット内のカムに前記摺動バーの元部が固定されており、かつ前記解除レバーに設けられた突起部が前記カムに当接されており、該解除レバーの作動によってカムを回動させて前記摺動バーを摺動させるように構成したことを特徴とした第１発明の引出しのロック構造である。
【０００９】
本発明に係る引出しのロック構造の第３発明の要旨は、前記解除レバーの一部に接触或は離してロック或は解除し得るロックツマミを前記取手の取付脚部の一部に摺動自在に設けて構成したことを特徴とした第１発明或は第２発明の引出しのロック構造である。
【発明の効果】
【００１０】
前記第１発明に於ては、引出しの前板に取付けられた取手の取付脚部内に解除レバーを回動自在に設け、この解除レバーの作動によってキャビネットに設けて第１係合手段と、引出しに設けた第２係合手段との係合或は解除操作をするようにしたので全体の構造及び操作が極めて簡単である。
【００１１】
前記解除レバーに摺動バーを係合し、この摺動バーを解除レバーの作動によって引出しの前板の内面に沿って摺動させるように構成し、さらにこの摺動バーの先端に前記第１係合手段に係合し得る第２係合手段を取付けたので、解除レバーの操作によって、第１係合手段と第２係合手段との係合或はこの係合の解除を確実に実施することが出来る。
【００１２】
前記第２発明の引出しのロック構造に於ては、引出しの前板内面に設けられた引寄せユニット内のカムに前記摺動バーの元部を固定し、かつ前記解除レバーの突起部が前記カムに当接されており、該解除レバーの作動によってその突起部が作動して、カムを回動させて摺動バーを摺動させるように構成したので、簡単な部品の組合せによって、解除レバーの動きを摺動バーの摺動に容易に変化させることが出来る。
【００１３】
前記第３発明の引出しのロック構造に於ては、前記解除レバーの回動をロック或は解除し得るロックツマミを前記取手の取付脚部の一部に摺動自在に設けて構成したので、このロックツマミを一方向に摺動することによって解除レバーの回動をロックして前記第１係合手段と第２係合手段との係合をロックしたり、或はロックツマミを他方向に摺動することによって、解除レバーの回動を解除し、同時に第１係合手段と第２係合手段との係合を解除することが出来る。
【発明を実施するための最良の形態】
【００１４】
図により本発明に係る引出しのロック構造について、その一実施例を具体的に説明すると、図１はキャビネットと引出しとの関係を示す説明図、図２は引出しの前板の構成を示す説明図、図３はキャビネットに設けた第１係合手段と引出しの前板に設けた第２係合手段との関係を示す説明図、図４は解除レバーのロック及び解除を示す説明図、図５は解除レバーと第２係合手段との関係を示す説明図である。
【００１５】
図１及び図２に於て、１はキャビネットであって、その両側に側板２が設けられると共に、上部には天井板３が設けられている。前記キャビネット１の側板２の内面上部には第１係合手段の役割をするＬ型のアングル材４が突設されている。
【００１６】
５は引出しであって、前記キャビネット１に出し入れして収納し得るように構成されている。６は引出し５の前板であって、その外面上部には取手７がその取付脚部７ａを介して取付けられている。該取手７の取付脚部７ａの内部には、特に図４、図５に示す如く、下方が開放された所定の空間８が設けられている。この空間８には解除レバー９が回動し得るように取付けられている。１０はこの解除レバー９をロックしたり、或は解除し得るロックツマミである。
【００１７】
１１は引き寄せユニットであって、前記前板６の内面の前記解除レバー９と対応する位置に取付けられている。１２は摺動バーであって、その元部は引き寄せユニット１１内に設けられた後述のカムに連結されている。該摺動バー１２の先端部は前板６の内面側部に設けられたラッチ部１３に挿入されている。また、このラッチ部１３には、前記キャビネット１に取付けられたアングル材４に係合し得る第２係合手段の役割をする爪状のフック１４が出し入れ可能に取付けられている。
【００１８】
図３乃至図５に於て、前記引き寄せユニット１１内には２個のカム１５ａ、１５ｂが左右に並列されて配置されており、夫々の下部に挿通された支軸１６を支点として回動し得るように構成されている。また、これ等のカム１５ａ、１５ｂの下部には、引き寄せユニット１１の左右に配設した前記摺動バー１２の元部が固定されている。
【００１９】
さらに該摺動バー１２の先端部はラッチ部１３に収納されたフック１４に固定されている。１７はスプリングであって、前記ラッチ部１３に収納されており、フック１４を常に押し出すように付勢されている。
【００２０】
前記取手７の取付脚部７ａに設けられた空間８内に収納された解除レバー９は、この空間８内に水平に掛渡された支軸１８を支点として、取手７の下方に露出した外側部が上下に昇降し得るように構成されている。
【００２１】
また、該解除レバー９の内側部には突起部９ａが突設されており、かつこの突起部９ａの先端は引き寄せユニット１１内に挿入されて、前述のように引き寄せユニット１１内に収納された２個のカム１５ａ、１５ｂの上面に当接されている。
【００２２】
従って、取手７の下方に露出した解除レバー９の外側部を押し上げた場合には、特に図４及び図５に示す如く、解除レバー９が支軸１８を支点として回動し、解除レバー９の突起部９ａで２個のカム１５ａ、１５ｂを夫々押し下げることが出来る。
【００２３】
このようにカム１５ａ、１５ｂが押し下げられると、これ等のカム１５ａ、１５ｂに固定されていた摺動バー１２が引き寄せユニット１１側に引張られて、ラッチ部１３に収納されたフック１４をラッチ部１３内に引込め、これによってフック１４とアングル材４との係合を解除し、引出し５をキャビネット１より引き出すことが出来る。
【００２４】
また、前記引出し５をキャビネット１内に挿入した場合には、解除レバー９より手を放すことによって、ラッチ部１３内のスプリング１７の作用によって、フック１４をラッチ部１３より突出させ、フック１４をアングル材４に係合して、引出し５をキャビネット１内にロックすることが出来る。
【００２５】
前記ロックツマミ１０の頭部は、図３乃至図５で明らかな如く、取手７の取付脚部７ａの上面に露出されており、かつその下部は空間８内に挿入されている。このロックツマミ１０は、取付脚部７ａに設けた溝穴に沿って左右に摺動し得るように取付けられている。
【００２６】
前記解除レバー９の一部には、ロックツマミ１０の下端部が当接することが無いような切欠部１９が設けられており、ロックツマミ１０を一方向に摺動して、その下端部がこの切欠部１９内にある時には、解除レバー９を押し上げて作動させることが出来ないように構成されている。そして、ロックツマミ１０を他方向に摺動してその下端部がこの切欠部１９より外れた場合には、ロックツマミ１０の下端部が解除レバー９の外周部に当接されるので、解除レバー９の回動が停止され、その解除レバー９の外側部を押し上げることが出来ないように構成されている。
【００２７】
従って、このロックツマミ１０を用いることによって、解除レバー９の作動をロックしたり或は解除することが出来る。このために本発明の構造に於ては、引出し５をキャビネット１に２重にロックすることが出来る。
【００２８】
前記実施例に於ては、ラッチ部１３にスプリング１７を設けたが、解除レバー９の周りにスプリングを設けることも可能である。また、スプリングはラッチ部１３と解除レバー９側の両方に設けることも可能であるが、この場合には解除レバー９の操作性が悪くなる問題がある。
【産業上の利用可能性】
【００２９】
本発明の引出しのロック構造は、台所等の収納キャビネットの他に、一般の机、引出しを有する家具等にも利用することが出来る。
【図面の簡単な説明】
【００３０】
【図１】キャビネットと引出しとの関係を示す説明図である。
【図２】引出しの前板の構成を示す説明図である。
【図３】キャビネットに設けた第１係合手段と引出しの前板に設けた第２係合手段との関係を示す説明図である。
【図４】解除レバーのロック及び解除を示す説明図である。
【図５】解除レバーと第２係合手段との関係を示す説明図である。
【符号の説明】
【００３１】
１        ・・・キャビネット
２        ・・・側板
３        ・・・天井板
４        ・・・アングル材
５        ・・・引出し
６        ・・・前板
７        ・・・取手
７ａ      ・・・取付脚部
８        ・・・空間
９        ・・・解除レバー
９ａ      ・・・突起部
１０      ・・・ロックツマミ
１１      ・・・引き寄せユニット
１２      ・・・摺動バー
１３      ・・・ラッチ部
１４      ・・・フック
１５ａ    ・・・カム
１５ｂ    ・・・カム
１６      ・・・支軸
１７      ・・・スプリング
１８      ・・・支軸
【図１】
2006180985.tif 000003
【図２】
2006180985.tif 000004
【図３】
2006180985.tif 000005
【図４】
2006180985.tif 000006
【図５】
2006180985.tif 000007